(57)【要約】【課題】タッチセンサの上方に異物が存在する場合であっても、より柔軟な位置検出を実行可能な位置検出回路及び位置検出方法を提供する。【解決手段】位置検出回路１８は、静電容量に関する検出値を示す二次元データ３０に基づいてタッチセンサ１６の上方にある導電性の異物Ｃ１，Ｃ２を認識し、異物Ｃ１，Ｃ２が存在する異物存在領域３４の外側と内側とはタッチ検出条件を異ならせて、二次元データ３０に基づいてタッチセンサ１６上のタッチ位置又はタッチ領域を検出する。【選択図】図６
2019145069.tif 000002
【特許請求の範囲】
【請求項１】
複数本のライン電極を二次元的に配置してなる静電容量方式のタッチセンサに接続される位置検出回路であって、
前記タッチセンサ上の静電容量に関する検出値の分布を示す二次元データを取得する取得ステップと、
取得された前記二次元データに基づいて前記タッチセンサの上方にある導電性の異物を認識する認識ステップと、
認識された前記異物が存在する異物存在領域の外側と内側とはタッチ検出条件を異ならせて、前記二次元データに基づいて前記タッチセンサ上のタッチ位置又はタッチ領域を検出する検出ステップと、
を実行することを特徴とする位置検出回路。
【請求項２】
前記検出ステップでは、
前記二次元データが示す検出値が閾値よりも大きい位置又は領域を前記タッチ位置又は前記タッチ領域として検出するタッチ検出条件を用いる場合、
前記異物存在領域の外側では前記閾値を相対的に大きくする一方、前記異物存在領域の内側では前記閾値を相対的に小さくする
ことを特徴とする請求項１に記載の位置検出回路。
【請求項３】
前記検出ステップでは、
隣り合うタッチ領域間における検出値の変化量が閾値よりも小さい場合に単一のタッチ領域として検出するタッチ検出条件を用いる場合、
前記異物存在領域の外側では前記閾値を相対的に小さくする一方、前記異物存在領域の外側では前記閾値を相対的に大きくする
ことを特徴とする請求項１に記載の位置検出回路。
【請求項４】
前記検出ステップでは、
検出された領域のサイズが閾値よりも大きい場合に前記タッチ領域から除外するタッチ検出条件を用いる場合、
前記異物存在領域の外側では前記閾値を相対的に小さくする一方、前記異物存在領域の外側では前記閾値を相対的に大きくする
ことを特徴とする請求項１に記載の位置検出回路。
【請求項５】
前記認識ステップでは、前記検出値の分布の中に正の信号レベルと負の信号レベルが混在する領域がある場合に前記異物を認識することを特徴とする請求項１〜４のいずれか１項に記載の位置検出回路。
【請求項６】
複数本のライン電極を二次元的に配置してなる静電容量方式のタッチセンサを用いた位置検出方法であって、
前記タッチセンサ上の静電容量の検出値の分布を示す二次元データを取得する取得ステップと、
取得された前記二次元データに基づいて前記タッチセンサの上方にある導電性の異物を認識する認識ステップと、
認識された前記異物が存在する異物存在領域の外側と内側とはタッチ検出条件を異ならせて、前記二次元データに基づいて前記タッチセンサ上のタッチ位置又はタッチ領域を検出する検出ステップと、
を１つ又は複数のプロセッサが実行することを特徴とする位置検出方法。
【請求項７】
前記検出ステップでは、
前記二次元データが示す検出値が閾値よりも大きい位置又は領域を前記タッチ位置又は前記タッチ領域として検出するタッチ検出条件を用いる場合、
前記異物存在領域の外側では前記閾値を相対的に大きくする一方、前記異物存在領域の外側では前記閾値を相対的に小さくする
ことを特徴とする請求項６に記載の位置検出方法。
【請求項８】
前記検出ステップでは、
隣り合うタッチ領域間における検出値の変化量が閾値よりも小さい場合に単一のタッチ領域として検出するタッチ検出条件を用いる場合、
前記異物存在領域の外側では前記閾値を相対的に小さくする一方、前記異物存在領域の外側では前記閾値を相対的に大きくする
ことを特徴とする請求項６に記載の位置検出方法。
【請求項９】
前記検出ステップでは、
検出された領域のサイズが閾値よりも大きい場合に前記タッチ領域から除外するタッチ検出条件を用いる場合、
前記異物存在領域の外側では前記閾値を相対的に小さくする一方、前記異物存在領域の外側では前記閾値を相対的に大きくする
ことを特徴とする請求項６に記載の位置検出方法。
【請求項１０】
前記認識ステップでは、前記検出値の分布の中に正の信号レベルと負の信号レベルが混在する領域がある場合に前記異物を認識することを特徴とする請求項６〜９のいずれか１項に記載の位置検出方法。
【発明の詳細な説明】
【技術分野】
【０００１】
本発明は、位置検出回路及び位置検出方法に関する。
【背景技術】
【０００２】
特許文献１には、相互容量方式の静電タッチパネルへの接触物が水滴であると判定された場合、誤動作を防止するために当該水滴に対応する座標値の出力を無効化するタッチパネル装置が開示されている。
【先行技術文献】
【特許文献】
【０００３】
【特許文献１】特開２０１２−０８８８９９号公報
【発明の概要】
【発明が解決しようとする課題】
【０００４】
ところが、特許文献１に開示される装置では、例えば、タッチ面上にあるコインを押し付けた状態で指を移動させた場合、この指による動きが一連のタッチ操作として検出されないなど、柔軟な位置検出ができないという問題がある。  
【０００５】
本発明の目的は、タッチセンサの上方に異物が存在する場合であっても、より柔軟な位置検出を実行可能な位置検出回路及び位置検出方法を提供することである。
【課題を解決するための手段】
【０００６】
第１の本発明における位置検出回路は、複数本のライン電極を二次元的に配置してなる静電容量方式のタッチセンサに接続される回路であって、前記タッチセンサ上の静電容量に関する検出値の分布を示す二次元データを取得する取得ステップと、取得された前記二次元データに基づいて前記タッチセンサの上方にある導電性の異物を認識する認識ステップと、認識された前記異物が存在する異物存在領域の外側と内側とはタッチ検出条件を異ならせて、前記二次元データに基づいて前記タッチセンサ上のタッチ位置又はタッチ領域を検出する検出ステップを実行する。
【０００７】
第２の本発明における位置検出方法は、複数本のライン電極を二次元的に配置してなる静電容量方式のタッチセンサを用いた方法であって、前記タッチセンサ上の静電容量に関する検出値の分布を示す二次元データを取得する取得ステップと、取得された前記二次元データに基づいて前記タッチセンサの上方にある導電性の異物を認識する認識ステップと、認識された前記異物が存在する異物存在領域の外側と内側とはタッチ検出条件を異ならせて、前記二次元データに基づいて前記タッチセンサ上のタッチ位置又はタッチ領域を検出する検出ステップを１つ又は複数のプロセッサが実行する。
【発明の効果】
【０００８】
本発明によれば、タッチセンサの上方に異物が存在する場合であっても、より柔軟な位置検出を行うことができる。
【図面の簡単な説明】
【０００９】
【図１】本発明の一実施形態における位置検出回路が組み込まれた電子機器の概略ブロック図である。
【図２】図２Ａ及び図２Ｂは、図１の位置検出回路に関する機能要件を示す模式図である。
【図３】図３Ａ及び図３Ｂは、ユーザの指がタッチ面上に接触した状態における信号レベルの分布を示す図である。
【図４】図４Ａ及び図４Ｂは、異物がタッチ面上にあり、かつ指が異物に接触していない状態（非接地状態）における信号レベルの分布を示す図である。
【図５】図５Ａ及び図５Ｂは、異物がタッチ面上にあり、かつ指が異物に接触している状態（接地状態）における信号レベルの分布を示す図である。
【図６】図１の位置検出回路による位置検出方法に関するフローチャートである。
【図７】図７Ａは、ステップＳ２における異物認識処理の一例を示す図である。図７Ｂは、異物の認識結果の一例を示す図である。
【図８】図６のステップＳ５において実行されるコインモードのタッチ検出処理の詳細フローチャートである。
【図９】閾値の変更（Ｔ１→Ｔ２）に伴う指判定の改善効果を示す模式図である。
【図１０】閾値の変更（Ｌ１→Ｌ２）に伴う同一物体判定の改善効果を示す模式図である。
【図１１】閾値の変更（Ｓ１→Ｓ２）に伴うパーム判定の改善効果を示す模式図である。
【発明を実施するための形態】
【００１０】
本発明における位置検出回路及び位置検出方法について、添付の図面を参照しながら説明する。なお、本発明は、以下の実施形態及び変形例に限定されるものではなく、この発明の主旨を逸脱しない範囲で自由に変更できることは勿論である。あるいは、技術的に矛盾が生じない範囲で各々の構成を任意に組み合わせてもよい。
【００１１】
［電子機器１０の構成］
＜全体構成＞
図１は、本発明の一実施形態における位置検出回路１８が組み込まれた電子機器１０の概略ブロック図である。電子機器１０は、例えば、タブレット型端末、スマートフォン、パーソナルコンピュータで構成される。ユーザは、電子ペン１２（あるいはスタイラス）を片手で把持し、図示しない表示パネルのタッチ面２４（図２Ａなどを参照）にペン先を押し当てながら移動させることで、電子機器１０に絵や文字を書き込むことができる。あるいは、ユーザは、自身の指１４でタッチ面２４に接触することで、表示中のユーザコントロールを介して所望の操作を行うことができる。
【００１２】
この電子機器１０は、静電容量方式のタッチセンサ１６と、位置検出回路１８と、ホストプロセッサ２０と、を含んで構成される。なお、本図に示すｘ方向，ｙ方向は、タッチセンサ１６がなす平面上において定義される直交座標系のＸ軸，Ｙ軸に相当する。
【００１３】
タッチセンサ１６は、表示パネル上に配置される複数の電極を含んで構成される。タッチセンサ１６は、Ｘ座標（ｘ方向の位置）を検出するための複数のライン電極１６ｘと、Ｙ座標（ｙ方向の位置）を検出するための複数のライン電極１６ｙと、を含む。複数のライン電極１６ｘは、ｙ方向に延びて設けられ、かつｘ方向に沿って等間隔に配置されている。複数のライン電極１６ｙは、ｘ方向に延びて設けられ、かつｙ方向に沿って等間隔に配置されている。
【００１４】
位置検出回路１８は、ファームウェア２２を実行可能に構成された集積回路であり、タッチセンサ１６を構成する複数の電極にそれぞれ接続されている。ファームウェア２２は、ユーザの指１４などによるタッチを検出するタッチ検出機能２４ｔと、電子ペン１２の状態を検出するペン検出機能２４ｐと、を実現可能に構成される。
【００１５】
タッチ検出機能２４ｔは、例えば、タッチセンサ１６の二次元スキャン機能、タッチセンサ１６上の二次元データ３０（図７Ｂ）の取得機能、二次元データ３０上の領域分類機能（例えば、指１４、手の平の分類）を含む。ペン検出機能２４ｐは、例えば、タッチセンサ１６の二次元スキャン機能、ダウンリンク信号の受信・解析機能、電子ペン１２の状態（例えば、位置、姿勢、筆圧）の推定機能、電子ペン１２に対する指令を含むアップリンク信号の生成・送信機能を含む。
【００１６】
ホストプロセッサ２０は、ＣＰＵ（Central Processing Unit）又はＧＰＵ（Graphics Processing Unit）からなるプロセッサである。ホストプロセッサ２０は、図示しないメモリからプログラムを読み出し実行することで、例えば、位置検出回路１８からのデータを用いてデジタルインクを生成する処理、当該デジタルインクが示す描画内容を表示させるための可視化処理などを行う。
【００１７】
＜位置検出回路１８の機能要件＞
図２Ａ及び図２Ｂは、図１の位置検出回路１８に関する機能要件を示す模式図である。
【００１８】
図２Ａの左側に示すように、電子機器１０のタッチ面２４上には、コインや水滴などの導電性の異物Ｃ１が配置されている。この状態から電子機器１０を傾けることで、異物Ｃ１は、自重によりタッチ面２４上を滑り降りていく。１つ目の機能要件として、図２Ａの右側に示すように、異物Ｃ１がタッチ面２４上に接触した状態のまま移動したにもかかわらず、一連のタッチ操作として検出しないことが挙げられる。
【００１９】
図２Ｂの左側に示すように、電子機器１０のタッチ面２４上には２つの異物Ｃ１，Ｃ２が配置され、かつユーザが、自身の指１４にて異物Ｃ１，Ｃ２を押さえ付けている。この状態から指１４を移動させることで、異物Ｃ１，Ｃ２は、指１４の動きに追従して移動する。２つ目の機能要件として、図２Ｂの右側に示すように、異物Ｃ１，Ｃ２が介在するにもかかわらず、指１４による動きを一連のタッチ操作として検出することが挙げられる。
【００２０】
［位置検出回路１８の動作］
＜静電容量の検出傾向＞
この実施形態における位置検出回路１８は、以上のように構成される。続いて、様々な使用状態下でのタッチセンサ１６による静電容量の検出傾向について、図３Ａ〜図５Ｂを参照しながら説明する。
【００２１】
図３Ａは、ユーザの指１４がタッチ面２４上に接触した状態における信号レベルの一次元分布を示す図である。グラフの横軸は一軸方向に沿った位置（Position）を示すとともに、グラフの縦軸は信号レベル（Level）を示している。この信号レベルは、静電容量（相互容量あるいは自己容量）に関する検出値に相当し、指１４が接触した時に「正」になるように正負の符号が設定されている。
【００２２】
図３Ｂは、ユーザの指１４がタッチ面２４上に接触した状態における信号レベルの二次元分布を示す図である。各セルの値は、二次元位置毎の信号レベルを示している。図示の便宜上、信号レベルが基準値（＝０）付近であるセルは、数字を省略して表記している。なお、太線枠で囲まれる単体のセル又はセルの集合は、正の信号レベルＰｖが検出される位置を示す。
【００２３】
図３Ａ及び図３Ｂから理解されるように、指１４の接触に伴って、この指１４の接触部分に対応する狭い範囲内にて閾値Ｔ１を大きく上回る信号レベルが検出される。
【００２４】
図４Ａ及び図４Ｂは、異物Ｃ１がタッチ面２４上にあり、かつ指１４が異物Ｃ１に接触していない状態（非接地状態）における信号レベルの分布を示す図である。より詳しくは、図４Ａは一次元分布、図４Ｂは二次元分布をそれぞれ示している。図４Ａ及び図４Ｂから理解されるように、異物Ｃ１が存在する領域には、正の信号レベルＰｖの小領域のみならず、負の値の信号レベルＮｖの小領域が混在して含まれる。
【００２５】
図５Ａ及び図５Ｂは、異物Ｃ１がタッチ面２４上にあり、かつ指１４が異物Ｃ１に接触している状態（接地状態）における信号レベルの分布を示す図である。より詳しくは、図５Ａは一次元分布、図５Ｂは二次元分布をそれぞれ示している。
【００２６】
指１４の接触に伴って、負の信号レベルＮｖは消滅し、異物Ｃ１の接触部分に対応する広い範囲にて相対的に低い正の信号レベルＰｖが検出されるようになる。この理由は、指１４から吸収される電荷量Ｑは異物Ｃ１の有無によってそれほど大きく変わらないが、異物Ｃ１の接触面積が指１４のそれに比して大きく、単位面積あたりの電荷の吸収量が低下するためと考えられる。
【００２７】
＜具体的な動作＞
上記した検出傾向を踏まえて、２つの機能要件（図２Ａ，図２Ｂ参照）を同時に実現することができる。以下、位置検出回路１８の具体的な動作について、図６のフローチャートを参照しながら説明する。なお、この動作は、１つのプロセッサ（位置検出回路１８）が実行してもよいし、複数のプロセッサが協働して実行してもよい。
【００２８】
図６のステップＳ１において、位置検出回路１８は、タッチセンサ１６上の静電容量に関する検出値を示す検出信号を入力し、検出レベルの位置分布を示す分布データ（以下、二次元データ３０ともいう）を取得する。
【００２９】
ステップＳ２において、位置検出回路１８は、ステップＳ１で取得された二次元データ３０に基づいて、タッチセンサ１６の上方にある導電性の異物Ｃ１（つまり、タッチ面２４上に接触する異物Ｃ１）を認識する。
【００３０】
図７Ａは、ステップＳ２における異物認識処理の一例を示す図である。この処理では、指１４の接触範囲よりも広いパターン（以下、コインパターンともいう）を認識し、当該コインパターンを認識領域３２として抽出する。このようなコインパターンでは、上記した通り、正の信号レベルＰｖの領域と負の信号レベルＮｖの領域とが明確に分離されることはなく、実際には２種類の小領域が混在して発生する。塗り潰しで示す部分は正の信号レベルＰｖ（１），Ｐｖ（２）が検出された小領域に相当し、ハッチングで示す部分は負の信号レベルＮｖが検出された小領域に相当する。したがって、コインパターンを認識する際、領域同士の境界線（エッジ）を検出する代わりに、符号の異なる信号レベルが混在することを認識条件に含めることが望ましい。
【００３１】
これと併せて又はこれとは別に、認識領域３２のサイズに関する認識条件を含んでもよい。具体的には、所定のサイズＣＳよりも大きい面積を有する領域を認識領域３２として抽出してもよい。その理由は、水滴やコインなどより十分に小さい領域内では、上述した電子機器１０の操作上の問題が発生し得ないためである。なお、領域の面積は、例えば、信号レベルの絶対値が閾値を上回り、かつ互いに隣り合ってクラスターをなすデータ点の個数により求めることができる。
【００３２】
図７Ｂは、異物Ｃ１の認識結果の一例を示す図である。二次元データ３０は、予め定められた矩形状の全体領域（０≦Ｘ≦Ｘｏ，０≦Ｙ≦Ｙｏ）内で定義される。ハッチングで示す閉領域は、異物Ｃ１の認識領域３２に相当する。また、破線で囲む領域は、認識領域３２そのもの、あるいは認識領域３２の近傍をさらに含む異物存在領域３４（異物Ｃ１が存在する領域）に相当する。一方、全体領域から異物存在領域３４を除いた残り領域は、異物Ｃ１が存在しない通常検出領域３６に相当する。
【００３３】
図６のステップＳ３において、位置検出回路１８は、二次元データ３０上の異物Ｃ１（コインパターン）を認識しなかった場合（ステップＳ３；ＮＯ）、通常モードのタッチ検出処理を実行する（ステップＳ４）。この通常モードでは、タッチセンサ１６の全体領域において、通常のタッチ判定条件に基づいてタッチ位置又はタッチ領域を検出する。具体的には、［Ａ］指１４がタッチ面２４上に接触しているか否かを判定する指判定、［Ｂ］隣り合うタッチ領域が同一の連続体による接触（いわゆる、シングルタッチ）又は別個の連続体による同時接触（いわゆる、マルチタッチ）であるかを判定する同一物体判定、並びに、［Ｃ］手の平（パーム）がタッチ面２４上に接触しているか否かを判定するパーム判定が実行される。
【００３４】
「指判定」では、二次元データ３０が示す検出値が閾値Ｔ１（検出閾値）よりも大きいタッチ領域を抽出し、当該タッチ領域の代表点（例えば、重心位置）を指１４による指示位置として検出する。「同一物体判定」では、二次元データ３０が示す検出値が閾値Ｔ１よりも大きいタッチ領域を抽出し、隣り合うタッチ領域間における検出値の変化量を示す指標が閾値Ｌ１（変化量閾値）よりも小さい場合に、両者のタッチ領域が単一の領域であるとみなして検出する。「パーム判定」では、二次元データ３０が示す検出値が閾値Ｔ１よりも大きいタッチ領域を抽出し、当該タッチ領域のサイズを示す指標が閾値Ｓ１（サイズ閾値）よりも大きい場合に、ユーザが意図しない指示とみなしてタッチ領域から除外する。
【００３５】
一方、ステップＳ３に戻って、位置検出回路１８は、二次元データ３０上の異物Ｃ１を少なくとも１つ認識した場合（ステップＳ３；ＹＥＳ）、コインモードのタッチ検出処理を実行する（ステップＳ５）。このコインモードでは、異物存在領域３４の外側と内側とはタッチ判定条件を異ならせて、二次元データ３０上のタッチ位置又はタッチ領域を検出する処理を行う。
【００３６】
ここで「異なるタッチ判定条件」とは、例えば、［１］判定処理に用いられるパラメータ（例えば、閾値）が異なる場合、［２］判定処理に用いられる指標の算出方法が異なる場合、［３］複数の判定条件の組み合わせ・条件数が異なる場合、又は［４］上記した［１］〜［３］の組み合わせ、が挙げられる。以下、ステップＳ５で実行されるコインモードのタッチ検出処理の一例について、図８のフローチャート及び図９〜図１１を参照しながら詳細に説明する。
【００３７】
まず、図８のステップＳ５１において、位置検出回路１８は、通常モードで用いられる閾値Ｔ１よりも小さい閾値Ｔ２を用いて「指判定」を行う。図３Ａ及び図５Ａの関係から理解されるように、異物Ｃ１の介在に起因して、指１４の接触を検出する正の信号レベルＰｖが相対的に低下する傾向がある。そこで、コインモードでは、閾値Ｔ１に代えて閾値Ｔ２を用いることで、タッチの検出感度を上げておく。これにより、図９に示すように、異物Ｃ１が介在する場合であっても指１４のタッチを検出することができる。
【００３８】
次に、ステップＳ５２において、位置検出回路１８は、通常モードで用いられる閾値Ｌ１よりも大きい閾値Ｌ２を用いて「同一物体判定」を行う。図３Ａ及び図５Ａの関係から理解されるように、異物Ｃ１の介在に起因して、正の信号レベルＰｖが現われる範囲が相対的に広くなり、その分だけ不連続性を検出しやすい傾向がある。そこで、コインモードでは、閾値Ｌ１に代えて閾値Ｌ２を用いることで、不連続性の検出感度を下げておく。これにより、図１０に示すように、指１４が異物Ｃ１に接触している状態であっても、異物Ｃ１を同一物体として検出することができる。
【００３９】
次に、ステップＳ５３において、位置検出回路１８は、通常モードで用いられる閾値Ｓ１よりも大きい閾値Ｓ２を用いて「パーム判定」を行う。例えば、パーム判定によりコインパターンが検出された場合、当該コインパターンがタッチ領域から除外されてしまうので、指１４によるタッチ操作が無効化されやすくなる。特に、流動性が高い異物Ｃ１（例えば、水滴など）の場合にその影響が大きくなる。そこで、コインモードでは、閾値Ｓ１に代えて閾値Ｓ２を用いることで、パーム領域の検出感度を下げておく。これにより、図１１に示すように、異物Ｃ１が介在する場合であっても指１４によるタッチ操作の無効化が抑制される。
【００４０】
最後に、ステップＳ５４において、位置検出回路１８は、ステップＳ５１〜Ｓ５３での判定結果に応じて、異物存在領域３４内におけるタッチ位置（座標値）を出力する。
【００４１】
［位置検出回路１８による効果］
以上のように、この位置検出回路１８は、複数本のライン電極１６ｘ，１６ｙを二次元的に配置してなる静電容量方式のタッチセンサ１６に接続される回路であって、タッチセンサ１６上の静電容量に関する検出値の分布を示す二次元データ３０を取得する取得ステップ（Ｓ１）と、取得された二次元データ３０に基づいてタッチセンサ１６の上方にある導電性の異物Ｃ１，Ｃ２を認識する認識ステップ（Ｓ２）と、認識された異物Ｃ１，Ｃ２が存在する異物存在領域３４の外側と内側とはタッチ検出条件を異ならせて、二次元データ３０に基づいてタッチセンサ１６上のタッチ位置又はタッチ領域を検出する検出ステップ（Ｓ４，Ｓ５）と、を実行する。
【００４２】
このように構成したので、タッチセンサ１６の上方（タッチ面２４の上）に異物Ｃ１，Ｃ２が存在する場合であっても、より柔軟な位置検出を行うことができる。例えば、異物存在領域３４及び通常検出領域３６に対してそれぞれ適切なタッチ検出条件を設けることで、異物Ｃ１，Ｃ２の有無を意識することなく同等の位置検出が行われる。
【００４３】
また、この検出ステップでは、二次元データ３０が示す検出値が閾値（Ｔ１，Ｔ２）よりも大きい位置又は領域をタッチ位置又はタッチ領域として検出するタッチ検出条件を用いる場合、異物存在領域３４の外側では閾値（Ｔ１）を相対的に大きくする一方、異物存在領域３４の内側では閾値（Ｔ２）を相対的に小さくしてもよい。異物存在領域３４内におけるタッチの検出感度を相対的に上げることで、異物Ｃ１，Ｃ２上からのタッチを検出しやすくなる。
【００４４】
また、この検出ステップでは、隣り合うタッチ領域間における検出値の変化量が閾値（Ｌ１，Ｌ２）よりも小さい場合に単一のタッチ領域として検出するタッチ検出条件を用いる場合、異物存在領域３４の外側では閾値（Ｌ１）を相対的に小さくする一方、異物存在領域３４の内側では閾値（Ｌ２）を相対的に大きくしてもよい。異物存在領域３４内における不連続性の検出感度を相対的に下げることで、異物Ｃ１，Ｃ２を同一物体として検出しやすくなる。
【００４５】
また、この検出ステップでは、検出された領域のサイズが閾値（Ｓ１，Ｓ２）よりも大きい場合にタッチ領域から除外するタッチ検出条件を用いる場合、異物存在領域３４の外側では閾値（Ｓ１）を相対的に小さくする一方、異物存在領域３４の内側では閾値（Ｓ２）を相対的に大きくしてもよい。除外対象となるタッチ領域（つまり、パーム領域）の検出感度を相対的に下げることで、異物Ｃ１，Ｃ２が介在する場合であってもタッチ操作の無効化が抑制されやすくなる。
【００４６】
また、この認識ステップでは、二次元データ３０が示す検出値の分布の中に正の信号レベルと負の信号レベルが混在する領域がある場合に異物Ｃ１，Ｃ２を認識してもよい。図４Ａ及び図４Ｂに示す静電容量の検出傾向を考慮することで、異物Ｃ１，Ｃ２の認識精度が向上する。
【符号の説明】
【００４７】
１０  電子機器、１２  電子ペン、１４  指、１６  タッチセンサ、１６ｘ（１６ｙ）  ライン電極、１８  位置検出回路、２０  ホストプロセッサ、３０  二次元データ、３２  認識領域、３４  異物存在領域、３６  通常検出領域、Ｔ１，Ｔ２，Ｌ１，Ｌ２，Ｓ１，Ｓ２  閾値。
【図１】
2019145069.tif 000003
【図２】
2019145069.tif 000004
【図３】
2019145069.tif 000005
【図４】
2019145069.tif 000006
【図５】
2019145069.tif 000007
【図６】
2019145069.tif 000008
【図７】
2019145069.tif 000009
【図８】
2019145069.tif 000010
【図９】
2019145069.tif 000011
【図１０】
2019145069.tif 000012
【図１１】
2019145069.tif 000013